(57)【要約】【課題】差し具と受け具の間に応力が加わっても、係止爪やその付勢手段の変形を抑制できる差込式結合継手の構造を提供する。【解決手段】差込式結合継手１の受け具２０は、受け口２０ａの内部に突出方向に付勢され、結合状態において係止段部１１ｂと係合可能に構成された係止爪２４と、係止爪の軸線方向基端側に設けられ、結合状態において先端筒部１１の基端部分を位置規制可能となる態様で包囲する第１の内周面部２２ｒと、第１の内周面部のさらに軸線方向基端側に設けられたシール空間及び該シール空間に収容されたパッキン２８によって構成され、結合状態においてパッキンが先端筒部に密着することによりシールするシール領域２２ｓと、シール領域のさらに軸線方向基端側に設けられ、結合状態において先端筒部の先端部分を位置規制可能となる態様で包囲する第２の内周面部２２ｔとを有する。【選択図】  図１
2019219024.tif 000002
【特許請求の範囲】
【請求項１】
軸線方向基端側に係止段部を備える先端筒部を有する差し具と、前記先端筒部を受け入れ可能に構成された受け口を有する受け具とを具備する差込式結合継手において、
前記受け具は、
前記受け口の内部に突出方向に付勢され、前記差し具と前記受け具の結合状態において前記係止段部と係合可能に構成された係止爪と、
該係止爪の軸線方向基端側に設けられ、前記結合状態において前記先端筒部の基端部分を位置規制可能となる態様で包囲する第１の内周面部と、
該第１の内周面部のさらに軸線方向基端側に設けられたシール空間及び該シール空間に収容されたパッキンによって構成され、前記結合状態において前記パッキンが前記先端筒部に密着することによりシールするシール領域と、
該シール領域のさらに軸線方向基端側に設けられ、前記結合状態において前記先端筒部の先端部分を位置規制可能となる態様で包囲する第２の内周面部と、を有する、
差込式結合継手。
【請求項２】
前記第２の内周面部は、前記第１の内周面部の内側寸法の最小部分と同等若しくはそれ以下の内側寸法を備える、
請求項１に記載の差込式結合継手。
【請求項３】
前記第２の内周面部の内側寸法は、前記先端筒部を包囲可能な範囲で、前記第１の内周面部の内側寸法よりも小さい、
請求項２に記載の差込式結合継手。
【請求項４】
前記第１の内周面部の軸線方向の長さは、前記第２の内周面部の軸線方向の長さと同等若しくはそれよりも大きい、
請求項１〜３のいずれか一項に記載の差込式結合継手。
【請求項５】
前記第１の内周面部は、軸線方向先端側に向けて開く態様で円錐状に構成されたガイド面領域を軸線方向先端側に備える、
請求項１〜４の何れか一項に記載の差込式結合継手。
【請求項６】
前記第１の内周面部は、前記ガイド面領域の軸線方向基端側に、前記ガイド面領域の最も軸線方向基端側の内側寸法と一致し、軸線方向に沿って同じ内側寸法を備える平坦領域を備える、
請求項５に記載の差込式結合継手。
【請求項７】
前記第１の内周面部の軸線方向の長さをＬｒ、前記シール領域の軸線方向の長さをＬｓ、前記第２の内周面部の軸線方向の長さをＬｔ、前記先端筒部の軸線方向の長さをＬｉとすると、以下の式（１）と（２）が成立する、
Ｌｒ＋Ｌｓ＋Ｌｔ≧Ｌｉ…（１）
Ｌｒ＋Ｌｓ＜Ｌｉ…（２）
請求項１〜６のいずれか一項に記載の差込式結合継手。
【請求項８】
差し具を受け入れるための受け口と、
前記受け口の内部に突出方向に付勢され、前記係止段部と係合可能に構成された係止爪と、
該係止爪の軸線方向基端側に設けられ、第１の内側寸法を備える第１の内周面部と、
該第１の内周面部のさらに軸線方向基端側の外周に設けられたシール空間及び該シール空間に収容されたパッキンによって構成され、前記パッキンが外力を受けていないときに前記第１の内側寸法より小さい内側寸法を備えるシール領域と、
該シール領域のさらに軸線方向基端側に設けられ、前記パッキンの内側寸法より大きい第２の内側寸法を備える第２の内周面部と、
を有する、
差込式結合継手用の受け具。
【請求項９】
前記第２の内周面部は、前記第１の内周面部の内側寸法の最小部分と同等若しくはそれ以下の内側寸法を備える、
請求項８に記載の差込式結合継手の受け具。
【請求項１０】
前記第２の内周面部の内側寸法は、前記先端筒部を包囲可能な範囲で、前記第１の内周面部の内側寸法よりも小さい、
請求項９に記載の差込式結合継手の受け具。
【請求項１１】
前記第１の内周面部は、軸線方向先端側に向けて開く態様で円錐状に構成されるガイド面領域を軸線方向先端側に備える、
請求項８〜１０のいずれか一項に記載の差込式結合継手の受け具。
【請求項１２】
前記第１の内周面部は、前記ガイド面領域の軸線方向基端側に、前記ガイド面領域の最も軸線方向基端側の内側寸法と一致し、軸線方向に沿って同じ内側寸法を備える平坦領域を備える、
請求項１１に記載の差込式結合継手の受け具。
【発明の詳細な説明】
【技術分野】
【０００１】
本発明は差込式結合継手及びその受け具に係り、特に、消防用継手として好適な継手の構造に関する。
【背景技術】
【０００２】
従来から消防用結合継手として、消防ホースを連結するための消防ホース用結合継手、或いは、管槍などの器具を連結するための消防器具用結合継手として、各種の消防用結合継手が使用されている。このうちの差込式結合継手は、図７及び図８に示すように、相互に着脱可能に構成された差し具１０と受け具２０を有し、差し具１０を、内部に係合爪２４が出没自在に設置された受け具２０の受け口２０ａ内に挿入すると、差し具１０の先端筒部１１の基端にある係止段部１１ｂが、板ばね２５によって内側へ突出する方向に付勢された係合爪２４に係合し、上記係止段部１１ｂが抜け止めされることにより、互いに結合される（例えば、以下の特許文献１参照）。
【先行技術文献】
【特許文献】
【０００３】
【特許文献１】特開２００３−１８５０７９号公報
【発明の概要】
【発明が解決しようとする課題】
【０００４】
ところが、上記のように係止段部１１ｂが係止爪２４に係止されることで差し具１０が抜け止めされた状態でも、差し具１０の先端筒部１１の外径と受け具の受け口２０ａの内径との間に僅かな寸法差があるため、水圧やホースの操作などにより結合継手に大きな曲げモーメントが加わると、差し具１０の軸線が受け具２０の軸線に対して傾斜し、これによって差し具１０の係止段部１１ｂが係止爪２４に干渉することにより、係止爪２４やこれを付勢する板ばね２５に変形が生ずることがあった。このような変形が生ずると、それ以降は、結合継手の意図しない離脱が生じたり、或いは、離脱操作時に離脱不良が生じたりすることがあった。
【０００５】
本発明は上記課題を解決するものであり、その目的は、差し具と受け具の間に応力が加わっても、係止爪やその付勢手段の変形を抑制できる差込式結合継手の構造、特に、受け具の構造を提供することにある。
【課題を解決するための手段】
【０００６】
上記課題を解決するために、本発明の差込式結合継手は、軸線方向基端側に係止段部を備える先端筒部を有する差し具と、前記先端筒部を受け入れ可能に構成された受け口を有する受け具とを具備する差込式結合継手において、前記受け具は、前記受け口の内部に突出方向に付勢され、前記差し具と前記受け具の結合状態において前記係止段部と係合可能に構成された係止爪と、該係止爪の軸線方向基端側に設けられ、前記結合状態において前記先端筒部の基端部分を位置規制可能となる態様で包囲する第１の内周面部と、該第１の内周面部のさらに軸線方向基端側に設けられたシール空間及び該シール空間に収容されたパッキンによって構成され、前記結合状態において前記パッキンが前記先端筒部に密着することによりシールするシール領域と、該シール領域のさらに軸線方向基端側に設けられ、前記結合状態において前記先端筒部の先端部分を位置規制可能となる態様で包囲する第２の内周面部と、を有する。
【０００７】
本発明において、前記第２の内周面部は、前記第１の内周面部の内側寸法（例えば内径、以下同様。）の最小部分と同等若しくはそれ以下の内側寸法を備えることが好ましい。特に、前記第２の内周面部の内側寸法は、前記先端筒部を包囲可能な範囲で、前記第１の内周面部の内側寸法よりも小さいことが望ましい。
【０００８】
本発明において、前記第１の内周面部の軸線方向の長さは、前記第２の内周面部の軸線方向の長さと同等若しくはそれよりも大きいことが好ましい。
【０００９】
本発明において、前記第１の内周面部は、軸線方向先端側に向けて開く態様で円錐状に構成されたガイド面領域を軸線方向先端側に備えることが好ましい。この場合にはさらに、前記第１の内周面部は、前記ガイド面領域の軸線方向基端側に、前記ガイド面領域の最も軸線方向基端側の内側寸法と一致し、軸線方向に沿って同じ内側寸法を備える平坦領域を備えることが望ましい。
【００１０】
本発明において、前記第１の内周面部の軸線方向の長さをＬｒ、前記シール領域の軸線方向の長さをＬｓ、前記第２の内周面部の軸線方向の長さをＬｔ、前記先端筒部の軸線方向の長さをＬｉとすると、以下の式（１）と（２）が成立することが好ましい。
Ｌｒ＋Ｌｓ＋Ｌｔ≧Ｌｉ…（１）
Ｌｒ＋Ｌｓ＜Ｌｉ…（２）
【００１１】
本発明において、前記第１の内周面部の内側寸法をＩｒ、前記シール領域の前記差し具の非装着時の内側寸法をＩｓ、前記第２の内周面部の内側寸法をＩｔ、前記先端筒部の外側寸法（例えば外径、以下同様）をＯｉとすると、以下の式（３）〜（５）が成立することが好ましい。
Ｉｒ＞Ｏｉ…（３）
Ｉｓ＜Ｏｉ…（４）
Ｉｔ＞Ｏｉ…（５）
ここで、ΔＤ＝Ｉｒ−Ｏｉ、ΔＳ＝Ｉｒ−Ｉｔとすると、以下の式（６）が成立することが好ましい。
ΔＤ−ΔＳ＝Ｉｔ−Ｏｉ≧０…（６）
特に、以下の式（７）であることが望ましい。
ΔＤ−ΔＳ＞０…（７）
換言すれば、ＩｒとＩｔは以下の式（８）の関係にあることが好ましく、特に、以下の式（９）の関係にあることが望ましい。
Ｉｒ≧Ｉｔ…（８）
Ｉｒ＞Ｉｔ…（９）
【００１２】
次に、本発明の差込式結合継手用の受け具は、差し具を受け入れるための受け口と、前記受け口の内部に突出方向に付勢され、前記係止段部と係合可能に構成された係止爪と、該係止爪の軸線方向基端側に設けられ、第１の内側寸法（例えば内径、以下同様。）を備える第１の内周面部と、該第１の内周面部のさらに軸線方向基端側の外周に設けられたシール空間及び該シール空間に収容されたパッキンによって構成され、前記パッキンが外力を受けていないときに前記第１の内側寸法より小さい内側寸法を備えるシール領域と、該シール領域のさらに軸線方向基端側に設けられ、前記パッキンの内側寸法より大きい第２の内側寸法（例えば内径、以下同様。）を備える第２の内周面部と、を有する。
【００１３】
本発明において、前記第２の内側寸法は、前記第１の内側寸法の最小部分と同等若しくはそれ以下であることが好ましい。特に、前記第２の内側寸法は、前記先端筒部を包囲可能な範囲で、前記第１の内側寸法よりも小さいことが望ましい。
【００１４】
本発明において、前記第１の内周面部の軸線方向の長さは、前記第２の内周面部の軸線方向の長さと同様若しくはそれよりも大きいことが好ましい。
【００１５】
本発明において、前記第１の内周面部は、軸線方向先端側に向けて開く態様で円錐状に構成されるガイド面領域を軸線方向先端側に備えることが好ましい。この場合にはさらに、前記第１の内周面部は、前記ガイド面領域の軸線方向基端側に、前記ガイド面領域の最も軸線方向基端側の内側寸法と一致し、軸線方向に沿って同じ内側寸法を備える平坦領域を備えることが望ましい。
【発明の効果】
【００１６】
この発明によれば、差し具の先端筒部が受け具の受け口の中に装着されると、先端筒部の先端が第１の内周面部及びシール領域の奥にある第２の内周面部に達することにより、差し具と受け具の間に応力が加わっても、先端筒部の先端が第２の内周面部によって位置規制され、受け口内における先端筒部の傾斜範囲が限定されることから、板ばねや係止爪の変形を招くことを抑制できる。
【図面の簡単な説明】
【００１７】
【図１】本発明に係る差込式結合継手の第１実施形態において、差し具を受け具の受け口に挿入し始めた状態を示す縦断面図である。
【図２】第１実施形態において、差し具の先端筒部が受け具の係止爪に当接した状態を示す縦断面図である。
【図３】第１実施形態において、差し具と受け具が完全に結合した状態を示す縦断面図である。
【図４】第１実施形態における結合部分の拡大断面図である。
【図５】本発明に係る第２実施形態の結合部分の拡大断面図である。
【図６】本発明に係る第３実施形態の結合部分の拡大断面図である。
【図７】従来の消防用の差込式結合継手の結合状態を示す縦断面図である。
【図８】従来の消防用の差込式結合継手の構成を示す概略斜視図である。
【発明を実施するための形態】
【００１８】
次に、添付図面を参照して本発明の実施形態について詳細に説明する。最初に、図１乃至図４を参照して、本発明に係る第１実施形態の差込式結合継手１について説明する。ここで、図１は消防用結合継手１の差し具１０を受け具２０の受け口２０ａに挿入し始めた状態、図２は差し具１０の先端筒部１１により受け具２０の係止爪２４を押し込みながら挿入している途中の状態、図３は係止段部１１と係止爪２４が完全に係止され、結合した状態をそれぞれ示す縦断面図である。また、図４は、結合した状態における結合構造の要部を拡大して示す拡大断面図である。
【００１９】
この差込式結合継手１は、差し具１０と受け具２０を備える。差し具１０は、基本的には従来の構造と同等であり、押輪１４が装備されるとともに、差し口１０ａを備えた先端筒部１１を有している。この先端筒部１１は、図４に示すように、外形寸法（図示例では外径、以下同様）Ｏｉを備えた筒状（図示例では円筒状）に構成され、軸線方向の先端外縁１１ｐから基端外縁１１ｑまで筒面状（図示例では円筒面状）の外周面１１ａを備える。また、先端筒部１１の軸線方向基端には、軸線方向基端側（図示右側）に向いた係止段部１１ｂが設けられ、この係止段部１１ｂによって、それ以降の軸線方向基端側の差し具本体１２の外径寸法Ｏｊは、上記外径寸法Ｏｉより小さくなっている。なお、先端筒部１１の軸線方向の長さＬｉと、上記外径寸法Ｏｉ及びＯｊとは、ＪＩＳのＢ９９１１−１９６８（消防用ホースの差込み式結合金具の寸法、以下同様）において、「４．６  差し金具」の寸法ｌ２と、ｄ１及びｄ２とによって、呼び４０〜７５についてそれぞれ規定されている。ただし、呼び７５を越える大径の継手については特に規定はない。
【００２０】
一方、受け具２０は、従来構造と同様の受け口２０ａ、受け具本体２２、締め輪２３、係止爪２４、板ばね２５、爪座２６、保護部材２７、パッキン２８を備える。受け口２０ａの奥側（軸線方向基端側、図示左側）には複数（図示例では３つ）の上記係止爪２４が板ばね２５によって受け口２０の内径側に突出する向きにそれぞれ付勢されている。係止爪２４のさらに軸線方向基端側には、受け具本体２２の開口縁によって構成される第１の内周面部２２ｒが形成される。この第１の内周面部２２ｒは、図３及び図４に示す結合状態において、上記差し具１０の先端筒部１１を位置規制可能な態様で包囲するように構成される。第１の内周面部２２ｉは筒面状（図示例では円筒面状）であり、その内側寸法（図示例では内径、以下同様）Ｉｒは、上記先端筒部１１の外側寸法Ｏｉよりも僅かに大きい。例えば、ＪＩＳのＢ９９１１−１９６８において、「４．６  差し金具」の寸法ｄ１と、「４．１  受け金具」の寸法Ｄ２との間には、０．４〜０．５ｍｍの差があるから、上記内側寸法Ｉｒと外側寸法Ｏｉとの間にも同様の寸法差（径差）ΔＤがある。すなわち、ΔＤ＝Ｉｒ−Ｏｉである。
【００２１】
この第１の内周面部２２ｒの軸線方向基端側には、環状溝２２ｄ内にパッキン２８が収容されることによって構成されるシール領域２２ｓが構成される。環状溝２２ｄは図示例では断面矩形に構成され、パッキン２８は断面Ｕ形のゴムなどによって形成されている。パッキン２８は環状溝２２ｄ内に収容された状態で、差し具１０が挿入されていない場合には、図４に点線で示すように、第１の内周面部２２ｒの上記内側寸法Ｉｒよりも小さな内側寸法（図示例では内径、以下同様）Ｉｓを有するように構成される。これにより、シール領域２２ｓは、パッキン２８が先端筒部１１の外周面１１ａに密着することによって、結合状態における継手の内部と外部との間をシール（密閉）する。
【００２２】
図４に示すように、第１の内周面部２２ｒの内側寸法（図示例では内径、以下同様）Ｉｒは、ＪＩＳのＢ９９１１−１９６８において、「４．１  受け金具」の寸法Ｄ２によって、呼び４０〜７５についてそれぞれ規定されている。ただし、呼び７５を越える大径の継手については特に規定はない。
【００２３】
上記の第１の内周面部２２ｒやシール領域２２ｓは従来構造でも設けられていた。しかし、本実施形態では、シール領域２２ｓのさらに軸線方向基端側に第２の内周面部２２ｔが形成される。この第２の内周面部２２ｔは、図３及び図４に示す結合状態において、先端筒部１１を位置規制可能な態様で包囲するように構成される。第２の内周面部２２ｔは筒面状（図示例では円筒面状）であり、その内側寸法（図示例では内径、以下同様）Ｉｔは、上記先端筒部１１の外側寸法Ｏｉよりも僅かに大きい。また、第２の内周面部２２ｔの軸線方向の長さＬｔ、第１の内周面部２２ｒの軸線方向の長さＬｒ及びシール領域２２ｓの軸線方向の長さＬｓの和Ｌｒ＋Ｌｓ＋Ｌｔは、上記「４．１  受け金具」の寸法Ｌ２によって、呼び４０〜７５についてそれぞれ規定されている。ただし、呼び７５を越える大径の継手については特に規定はない。また、シール領域２２ｓよりも先端側の第１の内周面部２２ｒの軸線方向の長さＬｒは、上記「４．１  受け金具」の寸法Ｌ１によって示されるが、この寸法Ｌ１は推奨寸法であり、規定された寸法ではない。なお、第２の内周面部２２ｔは、後述する第２実施形態の第１の内周面部２２ｒ′に類似するように、軸線方向先端側（図示右側）に向けて開くように円錐面状に構成されていてもよい。この構成は、後述するΔＳ＞０を設ける場合において、特に有効である。また、第２の内周面部２２ｔは、その他の任意の面形状となっていても構わない。
【００２４】
第２の内周面部２２ｔが先端筒部１１を包囲するためには、上記内側寸法Ｉｔは、上記外側寸法Ｏｉより大きくなければならない。しかし、上記内側寸法Ｉｔが外側寸法Ｏｉよりも大きすぎると、第２の内周面部２２ｔが先端筒部１１の外周面１１ａに当接しなくなるため、位置規制可能な態様ではなくなってしまう。このため、本実施形態では、上記内側寸法Ｉｔは、図３及び図４に示す結合状態において、上記寸法差ΔＤによって可能となる差し具１０の軸線の受け具２０の軸線に対する傾斜が生じたとき、先端筒部１１の先端部分の先端外縁１１ｐが第２の内周面部２２ｔに当接し得る範囲に設定されている。これにより、先端筒部１１の先端外縁１１ｐと第２の内周面部２２ｔとの干渉により差し具１０の軸線の傾斜範囲を規制できるため、先端筒部１１の基端外縁１１ｑによる係止爪２４の干渉の度合が制限され、その結果、係止爪２４や板ばね２５の変形を抑制することができる。
【００２５】
図３及び図４に示すように結合状態となるには、受け具２０の受け口２０ａ内の軸線方向の長さの和Ｌｒ＋Ｌｓ＋Ｌｔと、差し具１０の先端筒部１１の軸線方向の長さＬｉとの間に、Ｌｒ＋Ｌｓ＋Ｌｔ≧Ｌｉが成立する必要がある。しかし、上記のように、先端筒部１１の先端外縁１１ｐが第２の内周面部２２ｔによって位置規制されるように構成するには、上述の内側寸法Ｉｔだけではなく、軸線方向の長さ寸法にも条件がある。すなわち、結合状態において、先端筒部１１が第２の内周面部２２ｔ上に配置されるように構成するための条件として、Ｌｒ＋Ｌｓ＜Ｌｉが成立する必要がある。なお、図示例では、Ｉｒ＝Ｉｔとなっているが、特に限定されるものではなく、後述するようにＩｒ＞Ｉｔとなっていてもよく、Ｉｒ＜Ｉｔとしてもよい。
【００２６】
上記のように構成された本実施形態では、図３及び図４に示す結合状態において、先端筒部１１の先端側部分が第２の内周面部２２ｔに包囲された状態となり、しかも、第２の内周面部２２ｔによって差し具１０の軸線方向の受け具２０に対する傾斜が制限される。このため、差込式結合継手に対する操作や水圧などにより、差し具１０と受け具２０との間に大きな曲げモーメントを受けた場合でも、先端筒部１１の係止段部１１ｂが係止爪２４に干渉し、係止爪２４や板ばね２５を変形させてしまうといったことが抑制される。その結果、上記結合状態において、差し具１０と受け具２０の結合状態が誤作動により外れてしまったり、或いは、逆に、押輪１４を操作しても結合状態が解除できなくなったりするといったことを防止できる。
【００２７】
特に、第１の内周面部２２ｒの内側寸法Ｉｒよりも第２の内周面部２２ｔの内側寸法Ｉｔを僅かに小さくする（ΔＳ＝Ｉｒ−Ｉｔ＞０）ことにより、第２の内周面部２２ｔの領域において上記寸法差ΔＤ＞０を低減することによって、差し具１０の軸線の傾きをさらに低減できるため、係止爪２４や板ばね２５の変形をさらに低減することができ、当該変形をほとんど生じさせなくすることも可能である。ただし、第２の内周面部２２ｔはあくまでも先端筒部１１を包囲可能でなければならないので、ΔＳ＜ΔＤである。この場合に、先端筒部１１は予め第１の内周面部２２ｒによって概略の姿勢が規制されるので、装着時における第２の内周面部２２ｔへの先端筒部１１の先端外縁１１ｐの嵌合作業はそれほど困難にはならない。
【００２８】
次に、図５を参照して、本発明に係る第２実施形態の差込式結合継手について説明する。この実施形態では、第１の内周面部２２ｒ′は、円筒面状ではなく、受け口２０ａの先端側に開いた円錐面状に構成されたガイド面領域となっている。これにより、差し具１０の先端筒部１１が受け口２０ａ内に挿入され、係止爪２４上を通過した後に、先端筒部１１の先端外縁１１ｐが第１の内周面部２２ｒ′により案内されることにより、先端筒部１１の軸線が受け口２０ａの軸線と一致しやすくなることから、スムーズに挿入できるようになるとともに、先端筒部１１の先端外縁１１ｐが第２の内周面部２２ｔ′に嵌合しやすくなる。特に、上述のように、内側寸法Ｉｔが内側寸法Ｉｒより僅かに小さくなっている場合でも、装着作業を容易に行うことが可能になる。
【００２９】
次に、図６を参照して、本発明に係る第３実施形態の差込式結合継手について説明する。この実施形態が先の第１及び第２の実施形態と異なる点は、まず、第１の内周面部２２ｒ″の軸線方向の長さＬｒを、第２の内周面部２２ｔ″の軸線方向の長さＬｔより大きくした（Ｌｒ＞Ｌｔ）ことにある。このようにすると、先端筒部１１は軸線方向の長さＬｒが大きな第１の内周面部２２ｒ″によって位置及び姿勢が規制されるため、差し具１０の位置及び姿勢が受け具２０″の軸線と一致しやすくなり、その後の第２の内周面部２２ｔ″への嵌合作業をさらに容易化できる。
【００３０】
また、本実施形態では、第１の内周面部２２ｒ″の軸線方向先端側（図示右側）に、第２実施形態の第１の内周面部２２ｒ′と同様に円錐面状に構成されたガイド面領域２２ｒｇを形成し、残りの軸線方向基端側の部分に円筒面状の平坦領域２２ｒｓを形成している。これにより、第２実施形態と同様に装着作業を容易化しつつ、大きな軸線方向の長さＬｒと、平坦領域２２ｒｓの規制作業とにより、差し具の位置及び姿勢をさらに制限できるので、装着作業を大幅に容易化することが可能になる。
【００３１】
なお、本発明の方法及び装置は、上述の図示例のみに限定されるものではなく、本発明の要旨を逸脱しない範囲内において種々変更を加え得ることは勿論である。例えば、上記各実施形態は、差し具と受け具がそれぞれ消防用ホースに対する接続口を備えたものであるが、例えば、消火栓とホース、ホースと管槍など、異なるものを連結するための継手であってもよく、消防用でない継手であっても構わない。また、上記実施形態では、呼び径の値については特に限定しないが、大きな曲げモーメントが加わる場合に特に有効であるので、上記ＪＩＳで定められた範囲に限らず、本実施形態では、大きな水圧が加わる大口径の継手、例えば、呼び７５を越える大径の継手に採用することが望ましい。さらに、上記軸線方向の長さＬｒ、Ｌｓ、Ｌｔは特に限定されるものではない。例えば、呼び４０では、２．２ｍｍ、７ｍｍ、３ｍｍ、呼び５０では、３ｍｍ、９ｍｍ、３ｍｍ、呼び６５では、３ｍｍ、１０ｍｍ、３ｍｍ、呼び７５では、４ｍｍ、１１ｍｍ、４ｍｍ、呼び９０では、５ｍｍ、９ｍｍ、６ｍｍなどの寸法とすることができる。その上、上記各実施形態のそれぞれの特徴点は、相互に支障を生じない限り、任意の組み合わせで構成することができる。
【符号の説明】
【００３２】
１…結合継手、１０…差し具、１０ａ…差し口、１１…先端筒部、１１ａ…外周面、１１ｂ…係止段部、１１ｐ…先端外縁、１１ｑ…基端外縁、１２…差し具本体、１３…接続部、１４…解除部材、２０…受け具、２０ａ…受け口、２１…先端内縁部、２２…受け具本体、２２ａ…接続部、２２ｂ…取付枠部、２２ｄ…環状溝、２２ｒ…第１の内周面部、２２ｒｇ…ガイド面領域、２２ｒｓ…平坦領域、２２ｓ…シール領域、２２ｔ…第２の内周面部、２３…締め輪、２３ａ…取付座、２４…係止爪、２５…板ばね、２６…爪座、２７…保護部材、２８…パッキン、Ｌｉ…先端筒部の軸線方向の長さ、Ｌｒ…第１の内周面部の軸線方向の長さ、Ｌｓ…シール領域の軸線方向の長さ、Ｌｔ…第２の内周面部の軸線方向の長さ、Ｏｉ…先端筒部の外側寸法（外径）、Ｏｊ…差し具本体の外側寸法（外径）、Ｉｒ…第１の内周面部の内側寸法（内径）、Ｉｓ…シール領域のパッキンの外力を受けていないときの内側寸法（内径）、Ｉｔ…第２の内周面部の内側寸法（内径）
【図１】
2019219024.tif 000003
【図２】
2019219024.tif 000004
【図３】
2019219024.tif 000005
【図４】
2019219024.tif 000006
【図５】
2019219024.tif 000007
【図６】
2019219024.tif 000008
【図７】
2019219024.tif 000009
【図８】
2019219024.tif 000010